(57)【要約】      （修正有）【課題】カメラを手で持ち運ぶことが可能であって、耐久性に優れ、安定してカメラをホールドでき、カメラのデザイン性を損ねない、製造コストも安価なカメラケースを提供する。【解決手段】カメラケース１は、底部に金属製の平板を設け、平板の一端が底部から一側面の外部に突出し、平板の突出部２ａに穴を設け、平板の穴の幅と同程度の幅の保持ベルト３を平板２の穴に通して一端部を固定し、保持ベルト３の他端部に二重丸カン４を設けて、二重丸カン４とカメラ６の金具又は穴とを連結する。【選択図】図１
0003229905.tif 000002
【実用新案登録請求の範囲】
【請求項１】
底部に金属製の平板を設け、前記平板の一端が底部から一側面の外部に突出し、前記平板の突出部に穴を設け、前記平板の穴の幅と同程度の幅の保持ベルトを前記平板の穴に通して一端部を固定し、前記保持ベルトの他端部に二重丸カンを設けて、前記二重丸カンとカメラの金具又は穴とを連結することを特徴とするカメラケース。
【請求項２】
前記平板が底部の略半分の長さであって、前記平板の上下に固定部材を設けて前記平板を底部に固着させたことを特徴とする、請求項１に記載のカメラケース。
【考案の詳細な説明】
【技術分野】
【０００１】
本考案は、カメラを手で持ち運ぶことが可能なカメラケースに関するものである。
【背景技術】
【０００２】
写真撮影等のためにカメラを持ち運ぶ際には、ストラップ等を用いて、カメラを首や肩から掛けて持ち運ぶのが一般的である。一眼レフカメラには、上部の左右両側に、ストラップ等を取り付けるための金具や穴を設けていることが多く、これらを利用して、カメラを首や肩から掛けて持ち運ぶ。従来のカメラケースは、前記金具や穴の部分は覆わずに、かつ、カメラから簡単に外れることが無いように作られていることが多く、撮影時や移動時等において、カメラを保護するための役割を果たしている。
【先行技術文献】
【特許文献】
【０００３】
【特許文献１】特開２０１４―１３２２９８号公報
【特許文献２】実用新案登録第３０９５７９７号公報
【考案の概要】
【考案が解決しようとする課題】
【０００４】
カメラで写真を撮影する際には、シャッターチャンスを逃さないように瞬時に撮影可能な態勢を整えられるようにしておくことが望ましく、カメラを首や肩から掛けて持ち運ぶのではなく、手で持ち運ぶ方が好ましい。しかしながら、従来のカメラケースにおいては、カメラを首や肩から掛けて持ち運ぶことを想定したものがほとんどであり、また、手で持ち運ぶことを想定したカメラケースにおいては、手でホールドする部分において耐久性や安定性、デザイン性、製造コスト等の面で大きな問題がある。そこで、本考案は、手で持ち運ぶことが可能であって、耐久性に優れ、安定してカメラをホールドでき、カメラのデザイン性を損ねない、製造コストも安価なカメラケースを提供することを課題とする。
【課題を解決するための手段】
【０００５】
上記課題を解決するため、本考案は次のような構成を有する。請求項１に記載の考案は、底部に金属製の平板を設け、前記平板の一端が底部から一側面の外部に突出し、前記平板の突出部に穴を設け、前記平板の穴の幅と同程度の幅の保持ベルトを前記平板の穴に通して一端部を固定し、前記保持ベルトの他端部に二重丸カンを設けて、前記二重丸カンとカメラの金具又は穴とを連結することを特徴とするカメラケースである。
【０００６】
請求項２に記載の考案は、前記平板が底部の略半分の長さであって、前記平板の上下に固定部材を設けて前記平板を底部に固着させたことを特徴とする、請求項１に記載のカメラケースである。
【考案の効果】
【０００７】
本考案のカメラケースは、底部に金属製の平板を設けて、前記平板に設けた穴に直接保持ベルトを連結し、前記保持ベルトの他端部に二重丸カンを設けて、前記二重丸カンとカメラの金具又は穴とを連結することにより、従来のカメラケースよりも大幅に耐久性を高めている。さらに、前記平板の穴の幅と同程度の幅の保持ベルトを設け、前記保持ベルトとカメラの金具又は穴とを連結する部材が二重丸カンのみであるという構造から、手で持ち運ぶ際に、従来のカメラケースよりも安定してカメラをホールドできる。また、本カメラケースは、従来のカメラケースと比較して、よりシンプルな構造であるため、カメラのデザイン性を大きく損ねることはない。さらに、製造コストに関しても、複雑なカンやスプリング等は一切必要ないため、従来のカメラケースよりも安価である。
【図面の簡単な説明】
【０００８】
【図１】図１はカメラケースの正面図である。
【図２】図２はカメラケースの側面図である。
【図３】図３は金属製の平板である。
【図４】図４はカメラケースの底部の内部を拡大した図である。
【図５】図５はカメラケースの実施例１の側面部を上下から見た図である。
【考案を実施するための形態】
【０００９】
以下、本考案を実施するための形態を、図面を参照しながら説明する。
【００１０】
図１、２はそれぞれカメラケース１の全体図、側面図である。図１に示したカメラケース１は、左側面に保持ベルト３等を設けているが、右側面に設けても構わない。カメラケース１の形状は、保護するカメラ６の形状に合わせて変える。カメラ６を安全に保護することができるのであれば、カメラケース１はどのような形であっても構わないが、カメラ６のデザイン性や機能性を損ねない形状が好ましい。
【００１１】
カメラケース１の底部に金属製の平板２を設け、金属製の平板の突出部２ａの穴に保持ベルト３を通して、保持ベルト３を適切な長さに固定し外れないようにする。図２においては二点で留めているが、三点で留める、縫い付けるなどの他の方法でも良い。保持ベルト３に一般的な長さ調節機構を設けても良いが、容易に外れないように注意を要する。保持ベルト３の幅は、金属製の平板の突出部２ａの穴の幅と同程度の幅であることが好ましい。保持ベルト３は、革などの強度の強い材質のものが好ましい。保持ベルト３の他端部に二重丸カン４を設け、二重丸カン４とカメラ６の金具又は穴とを連結する。二重丸カン４は、カメラ６の金具又は穴に合わせた適切な大きさであることが好ましい。
【００１２】
図３は金属製の平板２の平面図である。金属製の平板２は、保護するカメラ６によって適する形や大きさが変わり、それに伴い金属製の平板の突出部２ａは様々な形状を呈する。金属製の平板の突出部２ａの形状によっては、穴を開ける加工に加えて、切削などの加工も要する場合がある。金属製の平板２の金属は、強度が強くて腐食しにくい、かつ、加工がしやすい真鍮やステンレス鋼などの合金であることが望ましい。図３には例示として６種類の金属製の平板２を挙げてあるが、金属製の平板２の長さや幅、金属製の平板の突出部２ａの位置や大きさ、穴の形状等は、カメラ６によって適する組み合わせが異なるため、６種類に限られず無数に存在する。
【００１３】
図４は金属製の平板２の上下に固定部材５を設けて、金属製の平板２を底部に固着させたカメラケース１の底部の内部を拡大した図である。金属製の平板２と固定部材５とは、一般的な接着剤やネジ、かしめ金具などを用いて固着させる。固定部材５としては樹脂やボール紙、木材など、しっかりと固着できるものが良い。十分な耐久性を確保するためである。
【実施例１】
【００１４】
本考案の一実施例を示す。カメラ６をＬ社製の一眼レフカメラとし、カメラケース１は革製であって、カメラ６のデザイン性を損ねないシンプルな形状とした。金属製の平板２は真鍮製であって、長さはカメラケース１の底部の略半分とし、形状は図３の下から二番目に示したものとした。保持ベルト３は革製とし、金属製の平板の突出部２ａの穴の幅と同程度の幅で、二点留めでしっかりと固定した。図５は、本実施例１の側面部を上下から見た図であって、それぞれ上側の図が上から、下側の図が下から見た図である。二重丸カン４は、図５に示した程度の大きさのステンレス鋼製のものを用いた。固定部材５は、ボール紙製のものとし、かしめ金具及び接着剤を用いてしっかりと固着した。
【符号の説明】
【００１５】
１    カメラケース
２    金属製の平板
２ａ  金属製の平板の突出部
３    保持ベルト
４    二重丸カン
５    固定部材
６    カメラ
【図１】
0003229905.tif 000003
【図２】
0003229905.tif 000004
【図３】
0003229905.tif 000005
【図４】
0003229905.tif 000006
【図５】
0003229905.tif 000007